(57)【要約】【課題】薄板形状の被記録部材を支持するトレイが搬送される搬送装置において、装置の小型化が実現されるとともに、トレイが障害物に衝突することを防止できる手段を提供する。【解決手段】プリンタ部１１は、トレイ１１０が搬送される搬送路２３と、筐体１５の背面１６に形成された背面開口１７を開閉するように姿勢変化可能な蓋１８と、を具備する。蓋１８が背面開口１７を開く姿勢において、ＣＤ１１１を支持するトレイ１１０が、搬送路３２の直線部３３から背面開口１７を通じて筐体１５の外側へ突出されるように搬送される。蓋１８が開かれた状態において、蓋１８が筐体１５から外側へ突出する距離Ｌ１が、トレイ１１０が筐体１５の外側へ突出される距離Ｌ２より長い。【選択図】図８
2011005708.tif 000002
【特許請求の範囲】
【請求項１】
薄板形状の被記録部材を支持するトレイが搬送される搬送経路と、
装置筐体の壁に形成された開口を開閉するように姿勢変化可能な蓋と、
上記蓋が上記開口を開く姿勢において、上記搬送経路から上記装置筐体の開口を通じて上記装置筐体の外側へ上記トレイを突出するように搬送する搬送手段と、を具備し、
上記蓋が開かれた状態において、当該蓋が装置筐体から外側へ突出する距離が、上記トレイが装置筐体の外側へ突出される距離より長い搬送装置。
【請求項２】
上記搬送経路は、シートの搬送方向に沿って、シートが湾曲されて案内される湾曲部、及びシートが直線状に延びて案内される直線部が配置されたものであり、当該直線部から上記開口へ上記トレイが搬送されるものである請求項１に記載の搬送装置。
【請求項３】
上記搬送経路の湾曲部において湾曲外側に配置されてシートを案内するものであって、当該湾曲部を開放するように姿勢変化可能なガイド部材をさらに有し、
上記搬送手段は、上記ガイド部材が上記湾曲部を開放し、且つ上記蓋が上記開口を開く姿勢において、上記搬送経路の直線部から上記装置筐体の開口を通じて上記装置筐体の外側へ上記トレイを突出するように搬送するものである請求項２に記載の搬送装置。
【請求項４】
上記ガイド部材は、上記蓋が上記開口を開く姿勢変化に連動して、上記湾曲部を開放するように姿勢変化するものである請求項３に記載の搬送装置。
【請求項５】
上記ガイド部材又は蓋の少なくともいずれか一方に、上記装置筐体の外側へ突出されたトレイを支持し、かつ当該トレイとの摺動によって回転可能なローラが設けられた請求項３又は４に記載の搬送装置。
【請求項６】
上記ローラは、上記ガイド部材に設けられており、上記湾曲部を搬送されるシートに接触して回転可能なものである請求項５に記載の搬送装置。
【請求項７】
上記ガイド部材又は蓋の少なくともいずれか一方が開放されたことを検知して検知信号を出力するセンサと、
上記センサの検知信号に基づいて、上記トレイを搬送するトレイ搬送モードを設定する制御部と、をさらに具備する請求項３から６のいずれかに記載の搬送装置。
【請求項８】
上記搬送経路におけるシートの詰まりを検知するジャム検知手段をさらに有し、
上記制御部は、上記ジャム検知手段がシートの詰まりを検知したことを条件として、トレイ搬送モードの設定を行わない請求項７に記載の搬送装置。
【請求項９】
上記制御部は、上記ジャム検知手段がシートの詰まりを検知していないことを条件として、トレイ搬送モードの設定を可能とする請求項８に記載の搬送装置。
【請求項１０】
請求項１から９のいずれかに記載の搬送装置と、
上記搬送経路に設けられて、当該搬送経路を搬送されるシート、又はトレイに支持された被記録部材に画像記録を行う記録部と、を具備する画像記録装置。
【発明の詳細な説明】
【技術分野】
【０００１】
本発明は、薄板形状の被記録部材を支持するトレイが搬送される搬送装置、並びに当該搬送装置を備えた画像記録装置に関する。
【背景技術】
【０００２】
画像記録装置は、被記録媒体を搬送して画像記録を行う。インクジェット方式の画像記録装置は、様々な被記録媒体に画像記録を行い得る。インクジェット方式の画像記録装置の被記録媒体として、記録用紙などのシートや、ＣＤやＤＶＤなどの薄板形状の部材が挙げられる。
【０００３】
また、画像記録装置においては、被記録媒体は、搬送路と称される経路を搬送されつつ画像記録が行われる。この搬送路には、Ｕターンパスのように湾曲されたものがある。記録用紙などのシートは、湾曲した搬送路に沿って撓むことが可能である。ＣＤやＤＶＤなどは、定形の記録用紙に対応した搬送路に合致するトレイなどに載置されて、搬送路を搬送されつつ画像記録が行われる。トレイの搬送路は、直線形状が採用される。このような直線形状の搬送路は、ストレートパスとも称される。
【０００４】
従来より、前述されたような被記録媒体の種類に対応して２種類の搬送経路を有し、それぞれが対応する搬送経路に被記録媒体又はトレイが案内される構成が知られている（特許文献１参照）。
【先行技術文献】
【特許文献】
【０００５】
【特許文献１】特開２００７−１１８４４０号公報
【発明の概要】
【発明が解決しようとする課題】
【０００６】
特許文献１に記載された記録装置では、記録ヘッドより搬送向きの上流側に、トレイの長さに対応したストレートパスが必要である。したがって、装置の奥行き方向の寸法が大きくなるという問題がある。仮に、上記記録装置で厚紙の記録媒体を搬送するように、その搬送過程において、トレイの一部を装置の背面側から突出させることとすれば、装置の奥行き方向の寸法が小さくされ得る。しかしながら、装置の背面側に壁や物などが存在すると、その壁や物などにトレイが衝突して、トレイの搬送に支障を来すという問題がある。
【０００７】
本発明は、前述された事情に鑑みてなされたものであり、その目的は、薄板形状の被記録部材を支持するトレイが搬送される搬送装置において、装置の小型化が実現されるとともに、トレイが障害物に衝突することを防止できる手段を提供することにある。
【課題を解決するための手段】
【０００８】
(1)  本発明に係る搬送装置は、薄板形状の被記録部材を支持するトレイが搬送される搬送経路と、装置筐体の壁に形成された開口を開閉するように姿勢変化可能な蓋と、上記蓋が上記開口を開く姿勢において、上記搬送経路から上記装置筐体の開口を通じて上記装置筐体の外側へ上記トレイを突出するように搬送する搬送手段と、を具備する。上記蓋が開かれた状態において、当該蓋が装置筐体から外側へ突出する距離が、上記トレイが装置筐体の外側へ突出される距離より長い。
【０００９】
トレイは、蓋が開かれた状態で、搬送経路から開口を通じて装置外側へ突出されるように搬送される。開かれた蓋が装置筐体から外側へ突出する距離が、トレイが装置筐体の外側へ突出される距離より長いので、蓋より装置筐体の壁側へ障害物が近寄ることがない。
【００１０】
(2)  上記搬送経路は、シートの搬送方向に沿って、シートが湾曲されて案内される湾曲部、及びシートが直線状に延びて案内される直線部が配置されたものであり、当該直線部から上記開口へ上記トレイが搬送されるものであってもよい。
【００１１】
シートは、搬送経路の湾曲部から直線部へと搬送される。シートが搬送されるときには、蓋が閉じられている。トレイは、蓋が開かれた状態で、搬送経路の直線部から開口へ搬送される。これにより、シートが搬送されるＵターンパスと、トレイが搬送されるストレートパスとが、直線部を共通させて構成される。
【００１２】
(3)  上記搬送装置は、上記搬送経路の湾曲部において湾曲外側に配置されてシートを案内するものであって、当該湾曲部を開放するように姿勢変化可能なガイド部材をさらに有するものであってもよい。そして、上記搬送手段は、上記ガイド部材が上記湾曲部を開放し、且つ上記蓋が上記開口を開く姿勢において、上記搬送経路の直線部から上記装置筐体の開口を通じて上記装置筐体の外側へ上記トレイを突出するように搬送する。
【００１３】
ガイド部材が開かれることによって、湾曲部が開放されて、直線部から開口へ向かってトレイが搬送可能となる。そして、蓋が開かれることによって、搬送経路から開口を通じて装置外側へトレイが突出されるように搬送可能となる。
【００１４】
(4)  上記ガイド部材は、上記蓋が上記開口を開く姿勢変化に連動して、上記湾曲部を開放するように姿勢変化するものであってもよい。
【００１５】
蓋が開かれると、ガイド部材が連動して開かれるので、被記録部材に画像記録を行う際の操作が簡便となる。
【００１６】
(5)  上記ガイド部材又は蓋の少なくともいずれか一方に、上記装置筐体の外側へ突出されたトレイを支持し、かつ当該トレイとの摺動によって回転可能なローラが設けられてもよい。
【００１７】
装置筐体から外側へ突出されたトレイの一部がローラによって支持されるので、トレイの搬送姿勢が安定する。また、ローラがトレイの摺動によって回転するので、トレイとローラとの摺動摩擦が軽減される。
【００１８】
(6)  上記ローラは、上記ガイド部材に設けられており、上記湾曲部を搬送されるシートに接触して回転可能なものであってもよい。
【００１９】
これにより、湾曲部を搬送されるシートとガイド部材との摺動摩擦が軽減される。
【００２０】
(7)  上記搬送装置は、上記ガイド部材又は蓋の少なくともいずれか一方が開放されたことを検知して検知信号を出力するセンサと、上記センサの検知信号に基づいて、上記トレイを搬送するトレイ搬送モードを設定する制御部と、をさらに具備するものであってもよい。
【００２１】
これにより、ガイド部材及び蓋が開かれると、トレイ搬送モードが自動的に設定される。
【００２２】
(8)  上記搬送装置は、上記搬送経路におけるシートの詰まりを検知するジャム検知手段をさらに有するものであってもよい。そして、上記制御部は、上記ジャム検知手段がシートの詰まりを検知したことを条件として、トレイ搬送モードの設定を行わない。
【００２３】
ガイド部材及び蓋が開かれると、搬送経路の湾曲部が開放されるので、湾曲部付近におけるシートの詰まりを修復することができる。搬送経路におけるシートの詰まりが検知されると、トレイ搬送モードが設定されないので、シートの詰まりを修復するためにガイド部材及び蓋が開かれても、トレイ搬送モードが設定されることがない。
【００２４】
(9)  上記制御部は、上記ジャム検知手段がシートの詰まりを検知していないことを条件として、トレイ搬送モードの設定を可能とする。
【００２５】
これにより、シートの詰まりが修復された後に、トレイ搬送モードが設定され得る。
【００２６】
(10)  本発明は、上記搬送装置と、上記搬送経路に設けられて、当該搬送経路を搬送されるシート、又はトレイに支持された被記録部材に画像記録を行う記録部と、を具備する画像記録装置として捉えられてもよい。
【発明の効果】
【００２７】
本発明によれば、装置筐体の壁の開口を開閉する蓋が開かれた状態において、その蓋が装置筐体から外側へ突出する距離が、トレイが装置筐体の外側へ突出される距離より長いので、蓋より装置筐体の壁側へ障害物が近寄ることがない。これにより、装置の小型化が実現されるとともに、トレイが障害物に衝突することが防止される。
【図面の簡単な説明】
【００２８】
【図１】本発明の実施形態に係る複合機１０の外観斜視図である。
【図２】蓋１８が閉じられた状態における複合機１０の背面１６側の外観斜視図である。
【図３】蓋１８が開かれた状態における複合機１０の背面１６側の外観斜視図である。
【図４】プリンタ部１１の内部構造を示す縦断面図である。
【図５】図４における矢視Vの拡大図である。
【図６】蓋１８及びガイド部材２６の外観斜視図である。
【図７】制御部１２０を示すブロック図である。
【図８】トレイ１１０が背面１６から突出された状態のプリンタ部１１を示す縦断面図である。
【図９】モード設定を示すフローチャート図である。
【図１０】モード設定の変形例を示すフローチャート図である。
【発明を実施するための形態】
【００２９】
以下、適宜図面が参照されつつ本発明の好ましい実施形態が説明される。なお、以下に説明される実施形態は本発明の一実施形態にすぎず、本発明の要旨を変更しない範囲でこの実施形態が適宜変更されることは言うまでもない。
【００３０】
［複合機１０の概略構成］
図１に示されるように、複合機１０は、下部に設けられたプリンタ部１１と、上部に設けられたスキャナ部１２と、正面上部に設けられた操作パネル１４とを備えている。なお、本実施形態においては、矢印１０１で示される方向が複合機１０の幅方向であり、矢印１０２で示される方向が複合機１０の高さ方向であり、矢印１０３で示される方向が複合機１０の奥行き方向である。また、図１においては、トレイ１１０が挿入される状態の複合機１０が示されている。
【００３１】
複合機１０は、プリント機能、スキャン機能、ファクシミリ機能及びコピー機能などの各種の機能を有している。プリント機能は、プリンタ部１１によって発揮される。このプリンタ部１１は、インクジェット方式によって画像記録を行う。なお、複合機１０においてプリント機能以外の機能は任意であり、例えば、スキャン機能やコピー機能、ファクシミリ機能を有しないプリント機能のみを有するプリンタとして本発明の画像記録装置が実施されてもよい。
【００３２】
プリンタ部１１の正面に正面開口１３が形成されている。この正面開口１３の内部に給紙カセット２０が着脱可能に設けられている。給紙カセット２０の詳細な構成については後述されるが、給紙カセット２０に装填された記録用紙が、後述される搬送機構によってプリンタ部１１内を搬送される。この搬送過程において、記録用紙に画像記録が行われる。
【００３３】
図２及び図３に示されるように、プリンタ部１１の筐体１５の背面１６には、背面開口１７が形成されている。背面１６は、概ね矩形をなしており、その中央付近に背面開口１７が形成されている。背面開口１７は、後述される搬送路２３の湾曲部３２のガイド部材２６が開放されるに十分な大きさである。背面開口１７は、蓋１８によって開閉される。背面開口１７は、湾曲部３２付近において詰まった記録用紙などを取り除くことや、トレイ１１０を飛び出させることを目的として開放される。一方、記録用紙へ画像記録が行われるときや、複合機１０が使用されないときには、背面開口１７は蓋１８によって閉じられる。このとき、蓋１８は、筐体１５の背面１６の一部を構成する。本実施形態における複合機１０の特徴とするところは、蓋１８が背面開口１７を開放させた状態において、蓋１８が背面１６から外側へ突出する距離Ｌ１が、トレイ１１０が背面１６から突出される距離Ｌ２より長い点にある（距離Ｌ１＞距離Ｌ２）。なお、背面１６が、本発明における装置筐体の壁に相当する。
【００３４】
スキャナ部１２は、いわゆるフラットベッドスキャナとして構成されているが、スキャナ部１２の構成は、本発明に直接に関係しないので、ここでは詳細な説明が省略される。
【００３５】
操作パネル１４は、プリンタ部１１やスキャナ部１２を操作するためのものであって、各種操作ボタンや液晶表示部を備えている。ユーザは、操作パネル１４を操作することにより各種機能の設定や動作を実行することができる。例えば、ユーザは、記録用紙に画像記録を行うか、トレイ１１０に保持されたコンパクトディスク１１１（以下、「ＣＤ１１１」と略される。）に画像記録を行うかのモード設定や、紙詰まりを修復した後のリセットなどを、操作パネル１４への入力によって複合機１０の制御部１２０に指示することができる。操作パネル１４が、本発明における入力手段に相当する。ＣＤ１１１は、本発明における被記録部材の一例である。記録用紙は、本発明におけるシートの一例である。
【００３６】
［プリンタ部１１の内部構成］
図４に示されるように、プリンタ部１１は、給紙カセット２０と、給紙カセット２０から給送された記録用紙が搬送される搬送路２３と、搬送路２３に設けられた記録部２５とを備えている。搬送路２３が、本発明における搬送経路に相当する。
【００３７】
［給紙カセット２０］
図４に示されるように、給紙カセット２０は、プリンタ部１１の底側に配置されている。給紙カセット２０は、上面の一部が開口された矩形の箱状である。給紙カセット２０の内部空間２１には、複数枚の記録用紙が積層された状態に載置される。給紙カセット２０に積載された記録用紙は、給紙ローラ３０によって搬送路２３に給送される。
【００３８】
排紙トレイ２２は、給紙カセット２０の上面の一部として構成されている。搬送路２３から排出された記録用紙は、排紙トレイ２２に積載される。
【００３９】
［搬送路２３］
図４に示されるように、搬送路２３は、記録用紙が湾曲されて案内される湾曲部３２と、記録用紙が直線状に延びて案内される直線部３３とを有する。湾曲部３２は、給紙カセット２０の奥側から上方へ向かって延びながら装置正面側（図４における左側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。つまり、湾曲部３２及び直線部３３は、記録用紙が搬送される向きに沿って順に連続して配置されている。この湾曲部３２及び直線部３３によって、搬送路２３は、いわゆるＵターンパスを形成している。
【００４０】
湾曲部３２は、外側ガイド面と内側ガイド面とによって区画形成されている。外側ガイド面は、ガイド部材２６によって構成されている。ガイド部材２６は、蓋１８に支持されており、蓋１８と共に回動される。ガイド部材２６の詳細な構成については後述される。内側ガイド面は、ガイド部材２７によって構成されている。ガイド部材２７は、図に示されていないフレームに支持されている。
【００４１】
図５に示されるように、湾曲部３２には、レジストセンサ６８が設けられている。同図には詳細に示されていないが、レジストセンサ６８は、いわゆるメカニカルセンサであり、湾曲部３２へ出没可能に回動される検出子と当該検出子を検出可能な光学センサとを有する。湾曲部３２に記録用紙が搬送されていない状態において、検出子が湾曲部３２に突出されており、湾曲部３２に搬送された記録用紙が当接することによって、検出子が湾曲部３２から退避される。この検出子の回動が光学センサによって検出されて検知信号が電気的に出力される。
【００４２】
［搬送機構（搬送手段）］
以下に説明される給紙ローラ３０、搬送ローラ４１及びピンチローラ４２、並びに排紙ローラ４３及び拍車４４によってプリンタ部１１の搬送機構が実現されている。この搬送機構が、本発明における搬送手段に相当する。
【００４３】
図４に示されるように、給紙ローラ３０は、アーム３１の先端に回転自在に軸支されている。給紙ローラ３０は、アーム３１の回動によって給紙カセット２０の内部空間２１へ進入して、内部空間２１に積載された最上位置の記録用紙と接触する。給紙ローラ３０は、ＡＳＦモータ８７（図７参照）から駆動伝達されて回転される。給紙ローラ３０が給紙カセット２０の記録用紙に圧接された状態で給紙ローラ３０が回転されると、給紙ローラ３０との摩擦力によって、最上位置の記録用紙が搬送路２３へ給送される。
【００４４】
搬送路２３の直線部３３には、搬送ローラ４１及びピンチローラ４２が設けられている。搬送ローラ４１及びピンチローラ４２は、記録用紙の搬送向きにおいて記録部２５より上流側に配置されている。搬送ローラ４１及びピンチローラ４２は対をなしている。ピンチローラ４２は、搬送ローラ４１に対して接離可能であって、搬送ローラ４１に圧接するようにバネ付勢されている。搬送ローラ４１は、ＬＦモータ８５（図７参照）から駆動伝達されて回転される。搬送ローラ４１及びピンチローラ４２に挟持された記録用紙は、搬送ローラ４１の回転を受けて記録部２５へ向かって搬送される。
【００４５】
搬送路２３の直線部３３には、排紙ローラ４３及び拍車４４が設けられている。排紙ローラ４３及び拍車４４は、記録用紙の搬送向きにおいて記録部２５より下流側に配置されている。排紙ローラ４３及び拍車４４は対をなしている。拍車４４は、排紙ローラ４３に対して接離可能であって、排紙ローラ４３に圧接するようにバネ付勢されている。排紙ローラ４３は、ＬＦモータ８５（図７参照）から駆動伝達されて回転される。排紙ローラ４３の回転は搬送ローラ４１の回転と同期されている。排紙ローラ４３及び拍車４４に挟持された記録用紙は、排紙ローラ４３の回転を受けて排紙トレイ２２へ向かって搬送される。
【００４６】
［記録部２５］
図４に示されるように、記録部２５は、搬送路２３の直線部３３に配置されており、キャリッジ４６及びプラテン４７を備えている。キャリッジ４６は、直線部３３を挟んでプラテン４７の上側に配置されている。キャリッジ４６には、記録ヘッド４８が搭載されている。同図には現れていないが、記録ヘッド４８は、インク滴を吐出するノズルを有している。このノズルの開口がプラテン４７側へ露出された状態で、記録ヘッド４８がキャリッジ４６に搭載されている。キャリッジ４６は、ＣＲモータ８６（図７参照）から駆動伝達されて、記録ヘッド４８とともに幅方向１０１（図４において紙面に垂直な方向）へ往復移動する。キャリッジ４６が移動されながら、記録ヘッド４８から微小なインク滴がプラテン４７上の記録用紙又はＣＤ１１１へ向かって選択的に吐出される。吐出されたインク滴が記録用紙又はＣＤ１１１に着弾することによって、記録用紙又はＣＤ１１１に画像が記録される。なお、インクは、図示されていないインクカートリッジから記録ヘッド４８へ供給される。
【００４７】
［蓋１８］
図３に示されるように、蓋１８は、ガイド部材２６を保持して、筐体１５の背面開口１７に対応して組み付けられる。図６に示されるように、蓋１８の下端付近には、幅方向１０２へ突出する軸６４，６５が設けられている。この軸６４，６５が、筐体１５の背面開口１７の下端付近に回転自在に支持されることによって、蓋１８が、背面開口１７を開閉するように回動自在に筐体１５に組み付けられている。
【００４８】
図２に示されるように、蓋１８は、背面開口１７を閉塞し得る矩形の平板６１を有する。蓋１８が閉じられた状態において、平板６１が、筐体１５の背面１６の一部を構成する。平板６１における一部が切欠されており、その切欠にレバー６２が設けられている。このレバー６２は、背面１６から外側へ回動可能である。図２に示されるように、レバー６２に外力が付与されない状態においては、レバー６２の外面は平板６１とほぼ同一面を構成するようにバネによって付勢されている。図３に示されるように、レバー６２は、平板６１の内側へ突出する係合爪６３を有している。図２に示された状態において、係合爪６３が、筐体１５の背面開口１７の周縁に係合する。筐体１５と係合爪６３とが係合されることによって、蓋１８が筐体１５の背面開口１７を閉塞する姿勢に保持される。
【００４９】
レバー６２がバネの付勢力に抗して回動されると、係合爪６３が背面開口１７の周縁から脱離される。この状態において、蓋１８が、図２に示される背面開口１７を閉塞する姿勢から、図３に示される背面開口１７を開放する姿勢に回動可能となる。蓋１８が背面開口１７を開放する姿勢において、その蓋１８が背面１６から外側へ突出する距離Ｌ１は、後述されるトレイ搬送モードにおいてトレイ１１０が背面１６から最大に突出される距離Ｌ２より長い（距離Ｌ１＞距離Ｌ２：図８参照）。これにより、開かれた状態の蓋１８より筐体１５の背面１６側へ壁や障害物などが近寄ることがない。
【００５０】
蓋１８の下端における幅方向１０１の一端には、下方へ突出する突片７０が設けられている。図５に示されるように、筐体の背面開口１７の内側には、突片７０に対応して光学センサ６９が設けられている。各図には詳細に現れていないが、光学センサ６９は、光を照射する発光部と、受光した光の強度に応じた電気信号を出力する受光部とを有している。突片７０は、蓋１８が開かれると、光学センサ６９の発光部と受光部との間に進入して、発光部から照射された光を遮断する。蓋１８が閉じられると、突片７０が光学センサ６９から離間され、発光部から照射された光が受光部によって受光される。このように、蓋１８の開閉によって光学センサ６９から出力される電気信号が異なり、後述される制御部１２０は、光学センサ６９から出力される電気信号に基づいて、蓋１８の開閉を検知する。
【００５１】
［ガイド部材２６］
図４に示されるように、ガイド部材２６は、搬送路２３の湾曲部３２の外側に配置されて、記録用紙を案内するものである。図５及び図６に示されるように、ガイド部材２６は、側面視でガイド面が湾曲部３２に沿った円弧状をなすように形成されている。図６に示されるように、ガイド部材２６は、蓋１８に組み付けられており、主として、本体５０及びガイド板５１，５２，５３，５４，５５、及びローラ５６，５７を有する。
【００５２】
図６に示されるように、本体５０は、蓋１８の平板６１に組み付けられている。本体５０は、平板６１より若干幅狭なものであり、平板６１における装置内部側に固定されている。同図には詳細に現れていないが、本体５０における装置内部側は、湾曲部３２に沿った湾曲形状をなしており、各ガイド板５１〜５５が組み付け可能である。
【００５３】
本体５０の上端側には、ローラ５６，５７が回転自在に支持されている。本体５０の上端側には、湾曲内側へ向かって突出する軸支リブ７１，７２，７３，７４が設けられている。各軸支リブ７１〜７４には、ローラ５６，５７の軸５８，５９に対応したＵ字溝が形成されている。軸支リブ７１，７２が一対となってローラ５６の軸５８を支持し、軸支リブ７３，７４が一対となってローラ５７の軸５９を支持している。軸５８，５９に対してローラ５６，５７は回転自在に設けられている。このようにして、ローラ５６，５７は、幅方向１０１に離間されて配置されており、幅方向１０１を軸方向として回転自在である。ローラ５６，５７は、そのローラ面の一部が各ガイド板５１〜５５のガイド面より湾曲内側となる位置に配置されている。後述されるように、蓋１８が閉じられた状態においては、ローラ５６，５７は、湾曲部３２を搬送される記録用紙と接触して回転される。蓋１８が開かれた状態においては、ローラ５６，５７は、筐体１５から飛び出されるトレイ１１０の下面に当接する。
【００５４】
各ガイド板５１〜５５は、本体５０の幅方向１０１に列をなして固定されて、湾曲部３２の外側ガイド面を構成している。ガイド板５３が、湾曲部３２における幅方向１０１のほぼ中央に配置されており、その中央に対して幅方向１０１に対称に、ガイド板５１，５２とガイド板５４，５５とが配置されている。
【００５５】
各ガイド板５１〜５５には、記録用紙の搬送向きに沿って延びるガイドリブ６０が複数形成されている。ガイドリブ６０は、各ガイド板５１〜５５において、幅方向１０１の中央に対して左右対称に配置されている。ガイドリブ６０は、各ガイド板５１〜５５に摺動する記録用紙との接触面積を少なくすることにより、記録用紙が搬送される際の摺動摩擦を軽減する役割を果たす。複数のガイドリブ６０、その配置や大きさが異なる他は同様の機能を有するものなので、図６においては、一部のガイドリブ６０のみに参照符号が付されている。
【００５６】
ガイド板５２，５３，５４には、湾曲内側に突出するように複数の回転コロ７５，７６が設けられている。これら回転コロ７５，７６は、湾曲部３２を搬送される記録用紙に接触して回転されるものであり、その配置や大きさが異なる他は同様の機能を有するものなので、図６においては、一部の回転コロ７５，７６のみに参照符号が付されている。
【００５７】
［制御部１２０］
図７に示される制御部１２０は、プリンタ部１１のみならず、複合機１０の全体動作を統括的に制御するものである。制御部１２０は、ＣＰＵ１２１、ＲＯＭ１２２、ＲＡＭ１２３、ＥＥＰＲＯＭ１２４、及びＡＳＩＣ（Application Specific Integrated Circuit）１２５を主とするマイクロコンピュータとして構成されている。なお、図７では、各モータ８５，８６，８７からの駆動力の伝達経路が破線で示されている。
【００５８】
ＲＯＭ１２２には、ＣＰＵ１２１がモータ８５，８６，８７や複合機１０を制御するためのプログラムなどが格納されている。ＲＡＭ１２３は、ＣＰＵ１２１が上記プログラムを実行する際に用いる各種データを一時的に記憶する記憶領域又はデータ処理などの作業領域として使用される。後述される記録用紙搬送モードやトレイ搬送モードは、ＲＯＭ１２２に格納されたプログラムによって実行される。このようなモードは、ユーザが操作パネル１４へ所定の入力を行うことによって選択され得る。また、後述されるように、光学センサ６９から出力される電気信号に基づいて、自動的にモード設定がなされる。
【００５９】
ＡＳＩＣ１２５には、レジストセンサ６８、光学センサ６９、駆動回路８１，８２，８３及び操作パネル１４が接続されている。なお、制御部１２０には、スキャナ部１２なども接続されているが、これらは本発明の趣旨には直接関係しないので、ここでは説明が省略される。
【００６０】
駆動回路８１は、ＬＦモータ８５を駆動させるものである。ＬＦモータ８５には、伝達ギヤなどを介して搬送ローラ４１の軸及び排紙ローラ４３の軸が連結されている。駆動回路８１は、ＡＳＩＣ１２５からの出力信号を受けてＬＦモータ８５を駆動させる。ＬＦモータ８５が駆動されることによって、搬送ローラ４１及び排紙ローラ４３が同期して回転される。
【００６１】
駆動回路８２は、ＡＳＩＣ１２５からの出力信号を受けてＣＲモータ８６を駆動させる。ＣＲモータ８６の駆動力は、図に示されていないベルト駆動機構を介してキャリッジ４６に伝達される。
【００６２】
駆動回路８３は、ＡＳＦモータ８７を駆動させるものである。ＡＳＦモータ８７は、図に示されていない駆動伝達機構を介して、給紙ローラ３０と連結されている。駆動回路８３は、ＡＳＩＣ１２５からの出力信号を受けてＡＳＦモータ８７を回転させる。そして、駆動伝達機構が、ＡＳＦモータ８７の駆動力を給紙ローラ３０へ伝達する。給紙カセット２０内の最上位置の記録用紙は、給紙ローラ３０の回転力を受けて搬送路２３へ供給される。
【００６３】
レジストセンサ６８は、受光部が受光した光量に応じたアナログの電気信号（電圧信号又は電流信号）を出力する。制御部１２０は、レジストセンサ６８から出力された信号の電気的なレベル（電圧値又は電流値）が所定の閾値以上の場合にＨＩレベル信号と判定し、所定の閾値未満の場合にＬＯＷレベル信号と判定する。この電気信号に基づいて、制御部１２０は、搬送路２３におけるレジストセンサ６８に対応する位置に記録用紙又はトレイ１１０があるか否かを判断する。記録用紙搬送モードにおいて、制御部１２０は、レジストセンサ６８から出力される電気信号に基づいて、給紙ローラ３０を回転させてから所定の時間を経過しても記録用紙があると判定されないとき、または所定の時間以上連続して記録用紙があると判定したときに、紙詰まり（ジャム）が生じたと判定する。制御部１２０は、紙詰まりが生じたと判定すると、蓋１８が開かれたことを検知した後に、レジストセンサ６８の出力に基づいて記録用紙がないと判定し、かつ蓋１８が閉じられていると判定すると、紙詰まりの判定を解除する。この制御部１２０とレジストセンサ６８とによって、本発明に係るジャム検知手段が構成されている。
【００６４】
光学センサ６９は、受光部が受光した光量に応じたアナログの電気信号（電圧信号又は電流信号）を出力する。制御部１２０は、光学センサ６９から出力された信号の電気的なレベル（電圧値又は電流値）が所定の閾値以上の場合にＨＩレベル信号と判定し、所定の閾値未満の場合にＬＯＷレベル信号と判定する。この電気信号に基づいて、制御部１２０は、蓋１８の開閉を判断する。
【００６５】
［記録用紙搬送モード］
記録用紙に画像記録が行われるときには、図２に示されるように、蓋１８は閉じられている。蓋１８が閉じられた状態で、操作パネル１４に対して、又は複合機１０に接続されているコンピュータなどのプリンタドライバに対して、記録用紙への印刷開始の指令が行われる。
【００６６】
印刷開始の指令によって、ＬＦモータ８５及びＡＳＦモータ８７の回転を受けて給紙ローラ３０、搬送ローラ４１及び排紙ローラ４３が所定のタイミングで回転されて、給紙カセット２０から搬送路２３へ記録用紙が給送される。搬送路２３の湾曲部３２を搬送される記録用紙の先端がレジストセンサ６８を通過すると、レジストセンサ６８によって記録用紙の先端が検知される。
【００６７】
記録用紙の先端は、湾曲部３２に案内されて直線部３３へ進入する。直線部３３において搬送ローラ４１及びピンチローラ４２に挟持された記録用紙は、プラテン４７上へ搬送される。プラテン４７上に記録用紙が搬送されると、搬送ローラ４１が間欠して回転される。搬送ローラ４１が停止されている間に、ＣＲモータ８６が駆動されてキャリッジ４６が幅方向１０１へ往復移動され、その往復移動の間に記録ヘッド４８からプラテン４７上の記録用紙へインク滴が選択的に吐出される。このような搬送ローラ４１の間欠した回転とキャリッジ４６の往復移動が繰り返されることによって、記録用紙の所望の位置に所望の画像が記録される。画像記録が行われた記録用紙は、排紙ローラ４３及び拍車４４に挟持されて、排紙トレイ２２上へ排出される。
【００６８】
［トレイ搬送モード］
図１に示されるように、ＣＤ１１１は、予めトレイ１１０に載置される。トレイ１１０は、ＣＤ１１１より大きな平板であり、その上面にトレイ１１０が嵌め込まれる凹嵌が形成されている。この凹嵌にＣＤ１１１が嵌め込まれることによって、トレイ１１０にＣＤ１１１が固定される。この固定状態において、ＣＤ１１１の印刷領域が上面側に露出されている。
【００６９】
ＣＤ１１１に画像記録が行われるときには、図３に示されるように、蓋１８が開かれて背面１６の背面開口１７が開放される。蓋１８が開かれると、蓋１８に固定されたガイド部材２６も同様に開かれる。これにより、搬送路２３の湾曲部３２において、内側のガイド部材２７から外側のガイド部材２６が離間される。この状態が、湾曲部３２が開放された状態と称される。
【００７０】
ＬＦモータ８５の回転を受けて搬送ローラ４１及び排紙ローラ４３が所定のタイミングで回転される。図１に示されるように、トレイ１１０は、装置の正面側の正面開口１３から搬送路２３の直線部２４へ挿入されるので、搬送ローラ４１及び排紙ローラ４３が回転される向きは、記録用紙が搬送される向きと逆向きである。図８に示されるように、搬送路２３の直線部２４に挿入されたトレイ１１０は、排紙ローラ４３及び拍車４４に挟持されて、プラテン４７上へ搬送され、続いて搬送ローラ４１及びピンチローラ４２に挟持されて装置正面側から背面１６側（図８における右側）へ搬送される。
【００７１】
前述されたように、蓋１８が開かれることによって、湾曲部３２が開放されているので、直線部３３から湾曲部３２へ到達したトレイ１１０の先端（図８における右端）は、ガイド部材２６に当接することなく、筐体１５の背面開口１７から筐体１５の外側へ飛び出される。トレイ１１０は、トレイ１１０に支持されているＣＤ１１１の印刷領域が、記録ヘッド４８の直下を通過するまで背面側へ搬送される。そして、ＣＤ１１１の印刷領域が、記録ヘッド４８の直下を通過すると、搬送ローラ４１及び排紙ローラ４３が停止される。
【００７２】
図８に示されるように、このときに、トレイ１１０が筐体１５の背面１６から外側へ距離Ｌ２だけ突出する。前述されたように、この距離Ｌ２は、蓋１８が背面１６から外側へ突出する距離Ｌ１より短い（距離Ｌ１＞距離Ｌ２）。また、トレイ１１０は、蓋１８に設けられたローラ５６，５７より外側まで突出される。トレイ１１０の突出先端側は、その下面がローラ５６，５７に接触して支持されるとともに、ローラ５６，５７の回転によって滑らかに搬送方向へ移動される。
【００７３】
トレイ１１０が筐体１５の背面１６から外側へ距離Ｌ２だけ突出した後、ＬＦモータ８５が逆転されて、搬送ローラ４１及び排紙ローラ４３の回転方向が逆転される。これにより、トレイ１１０は、先端と後端とが逆転して、装置背面側から装置正面側（図８における左側）へ搬送される。トレイ１１０に載置されたＣＤ１１１の印刷領域が記録ヘッド４８の直下へ搬送されると、搬送ローラ４１が間欠して回転される。搬送ローラ４１が停止されている間に、ＣＲモータ８６が駆動されてキャリッジ４６が幅方向１０１へ往復移動され、その往復移動の間に記録ヘッド４８からトレイ１１０上のＣＤ１１１の印刷領域へインク滴が選択的に吐出される。このような搬送ローラ４１の間欠した回転とキャリッジ４６の往復移動が繰り返されることによって、ＣＤ１１１の印刷領域に所望の画像が記録される。画像記録が行われたＣＤ１１１は、トレイ１１０に載置された状態で、装置正面側へ排出される。
【００７４】
［モード設定］
以下、図９が参照されながら、プリンタ部１１における記録用紙搬送モード及びトレイ搬送モードの設定が説明される。
【００７５】
まず、制御部１２０は、レジストセンサ６８から出力される電気信号に基づいて紙詰まり（ジャム）が生じているかを判断する。制御部１２０は、紙詰まりが生じていると判断したときには（Ｓ１（ＹＥＳ））、操作パネル１４のディスプレイ等に紙詰まりが生じている旨を表示して、レジストセンサ６８から出力される電気信号に基づいて、紙詰まりの解除を認識するまで待機する（Ｓ２（ＮＯ））。この待機中においては、制御部１２０は、操作パネル１４等への印刷開始やモード変更の入力を受け付けない。制御部１２０は、紙詰まりが生じていないと判断したときは（Ｓ１（ＹＥＳ））、搬送モードを記録用紙搬送モード又はトレイ搬送モードのいずれを受け付けたかを判断する（Ｓ３，Ｓ７）。
【００７６】
紙詰まりを知り得たユーザは、蓋１８を開いて湾曲部３２を開放する。これにより、筐体１５の背面開口１７を通じて湾曲部３２へアクセス可能となる。例えば、湾曲部３２に記録用紙が詰まっている場合には、背面開口１７から詰まった記録用紙が取り出される。ユーザは、詰まった紙を除去した後、蓋１８を閉じる。このような操作に対して、制御部１２０は、蓋１８が開かれた後に閉じられたかを、光学センサ６９の出力信号に基づいて判断する。また、制御部１２０は、レジストセンサ６８から出力される電気信号に基づいて紙詰まり（ジャム）が解消されたかを判断する。紙詰まりが解消されて、蓋１８が閉じられることによって、制御部１２０は、ジャム処理完了と判断する（Ｓ２（ＹＥＳ））。
【００７７】
制御部１２０は、ジャム処理完了と判断した後に、トレイ搬送モードを受け付けたかを判断する（Ｓ３）。これらの搬送モードの選択は、例えば、ユーザによって操作パネル１４へなされた入力に基づいて、或いは複合機１０に接続されているコンピュータなどのプリンタドライバへの入力に基づいて、制御部１２０が判断する。制御部１２０は、トレイ搬送モードを受け付けると（Ｓ３（ＹＥＳ））、続いて、蓋１８がオープンされているかを判断する（Ｓ４）。
【００７８】
前述されたように、トレイ１１０に支持されたＣＤ１１１に画像記録を行うときには、ユーザは蓋１８を開く。蓋１８が開かれたか否かは、光学センサ６９の出力信号に基づいて判断される。仮にユーザが蓋１８を開き忘れていたとすると、制御部１２０が、蓋１８が開かれていないと判断して（Ｓ４（ＮＯ））、操作パネル１４に蓋１８を開くことを促す表示（オープン表示）をさせて待機する（Ｓ５）。そして、制御部１２０は、蓋１８が開かれたと判断すると（Ｓ４（ＹＥＳ））、搬送モードとしてトレイ搬送モードを設定する（Ｓ６）。そして、印刷開始が入力されると、トレイ搬送モードに従って、プリンタ部１１が動作される。
【００７９】
制御部１２０は、トレイ搬送モードを受け付けていないと判断すると（Ｓ３（ＮＯ））、記録用紙搬送モードを受け付けたかを判断する（Ｓ７）。制御部１２０は、記録用紙搬送モードを受け付けると（Ｓ７（ＹＥＳ））、続いて、蓋１８がオープンされているかを判断する（Ｓ８）。
【００８０】
ユーザは、記録用紙に画像記録を行うときには、蓋１８を閉じたままにする。仮にユーザが蓋１８を閉じ忘れていたとすると、制御部１２０が、蓋１８が開かれていると判断して（Ｓ８（ＹＥＳ））、操作パネル１４に蓋１８を閉じることを促す表示（クローズ表示）をさせて待機する（Ｓ９）。そして、制御部１２０は、蓋１８が閉じられたと判断すると（Ｓ８（ＮＯ））、搬送モードとして記録用紙搬送モードを設定する（Ｓ１０）。そして、印刷開始が入力されると、記録用紙搬送モードに従って、プリンタ部１１が動作される。
【００８１】
［本実施形態の作用効果］
前述されたように、プリンタ部１１によれば、搬送路２３の湾曲部３２を開放するように開かれた蓋１８が筐体１５の背面１６から外側へ突出する距離Ｌ１が、トレイ１１０が筐体１５の背面１６から外側へ突出される距離Ｌ２より長いので、蓋１８より筐体１５の背面１６側へ壁や障害物が近寄ることがない。これにより、複合機１０の小型化が実現されるとともに、トレイ１１０が壁や障害物に衝突することが防止される。
【００８２】
また、ガイド部材２６は、蓋１８が背面開口１７を開く姿勢変化に連動して、湾曲部３２を開放するように姿勢変化するので、ＣＤ１１１に画像記録を行う際の操作が簡便となる。
【００８３】
また、ガイド部材２６に設けられたローラ５６，５７が、筐体１５から外側へ突出したトレイ１１０を支持するので、トレイ１１０の搬送姿勢が安定する。また、ローラ５６，５７がトレイ１１０の摺動によって回転するので、トレイ１１０とローラ５６，５７との摺動摩擦が軽減される。
【００８４】
また、ローラ５６，５７は、湾曲部３２を搬送される記録用紙に接触して回転可能なもので、湾曲部３２を搬送される記録用紙とガイド部材２６との摺動摩擦が軽減される。
【００８５】
また、制御部１２０が、突片７０を検知する光学センサ６９の出力信号に基づいて蓋１８が開かれたと判断して、トレイ搬送モードを設定するので、蓋１８が閉じられたままで、トレイ搬送モードに基づいてプリンタ部１１が動作されることがない。これにより、トレイ１１０が蓋１８やガイド部材２６と衝突することが防止される。
【００８６】
また、制御部１２０が、蓋１８が閉じられたと判断して、記録用紙搬送モードを設定するので、蓋１８が開かれたままで、記録用紙搬送モードに基づいてプリンタ部１１が動作されることがない。これにより、記録用紙が背面開口１７から飛び出すことが防止される。
【００８７】
なお、本実施形態では、蓋１８に設けられた突片７０が光学センサ６９に検知されるが、突片７０がガイド部材２６に設けられて、光学センサ６９によって検知されるように構成されてもよい。
【００８８】
また、制御部１２０は、レジストセンサ６８の出力信号に基づいて、紙詰まり（ジャム）を判断すると、トレイ搬送モードの設定を行わないので、紙詰まりを修復するための蓋１８が開かれても、トレイ搬送モードが設定されることがない。
【００８９】
また、制御部１２０は、紙詰まりが解消されるとトレイ搬送モードの設定を可能とするので、紙詰まりが修復された後に、トレイ搬送モードが設定され得る。
【００９０】
［モード設定の変形例］
以下、図１０が参照されながら、プリンタ部１１における記録用紙搬送モード及びトレイ搬送モードの設定に変形例が説明される。この変形例では、制御部１２０において、記録用紙搬送モードがデフォルト設定されており、蓋１８が開かれると、自動的にトレイ搬送モードが設定される。
【００９１】
詳細に説明するに、まず、制御部１２０は、蓋１８が開かれているかを判断する（Ｓ１１）。前述されたように、トレイ１１０に支持されたＣＤ１１１に画像記録を行うときには、ユーザは蓋１８を開く。また、紙詰まりを処理するときにも、ユーザは蓋１８を開く。一方、記録用紙に画像記録を行うときには、ユーザは蓋１８を閉じる。
【００９２】
蓋１８が開かれたか否かは、光学センサ６９の出力信号に基づいて判断される。制御部１２０は、蓋１８が開かれていないと判断すると（Ｓ１１（ＮＯ））、デフォルト設定の記録用紙搬送モードを維持する（Ｓ１２）。そして、印刷開始が入力されると、記録用紙搬送モードに従って、プリンタ部１１が動作される。
【００９３】
制御部１２０は、蓋１８が開かれたと判断すると（Ｓ１１（ＹＥＳ））、続いて、レジストセンサ６８から出力される電気信号に基づいて紙詰まり（ジャム）が生じているかを判断する（Ｓ１３）。制御部１２０は、紙詰まりが生じていると判断したときには（Ｓ１３（ＹＥＳ））、操作パネル１４のディスプレイ等に紙詰まりが生じている旨を表示して、レジストセンサ６８から出力される電気信号に基づいて、紙詰まりの解除を認識するまで待機する（Ｓ１４（ＮＯ））。この待機中においては、制御部１２０は、操作パネル１４等への印刷開始やモード変更の入力を受け付けない。
【００９４】
紙詰まりを知り得たユーザは、蓋１８を開いて湾曲部３２を開放する。これにより、筐体１５の背面開口１７を通じて湾曲部３２へアクセス可能となる。例えば、湾曲部３２に記録用紙が詰まっている場合には、背面開口１７から詰まった記録用紙が取り出される。ユーザは、詰まった紙を除去した後、蓋１８を閉じる。このような操作に対して、制御部１２０は、蓋１８が開かれた後に閉じられたかを、光学センサ６９の出力信号に基づいて判断する。また、制御部１２０は、レジストセンサ６８から出力される電気信号に基づいて紙詰まり（ジャム）が解消されたかを判断する。紙詰まりが解消されて、蓋１８が閉じられることによって、制御部１２０は、ジャム処理完了と判断する（Ｓ１４（ＹＥＳ））。
【００９５】
制御部１２０は、ジャム処理完了と判断すると、再び蓋１８が開かれたかを判断する（Ｓ１１）。制御部１２０は、蓋１８が開かれていないと判断すると（Ｓ１１（ＮＯ））、前述されたように、デフォルト設定の記録用紙搬送モードを維持する（Ｓ１２）。そして、例えば、制御部１２０は、紙詰まりによって画像記録が完全に終了されなかったページの画像記録を行う。
【００９６】
制御部１２０は、蓋１８が開かれていると判断し（Ｓ１１（ＹＥＳ））、かつ紙詰まりが生じていないと判断したときは（Ｓ１３（ＮＯ））、搬送モードを記録用紙搬送モードからトレイ搬送モードへ変更する（Ｓ１５）。そして、印刷開始が入力されると、トレイ搬送モードに従って、プリンタ部１１が動作される。
【００９７】
前述されたモード設定の変形例によれば、制御部１２０が、突片７０を検知する光学センサ６９の出力信号に基づいて蓋１８が開かれたと判断して、トレイ搬送モードを設定するので、蓋１８が開かれると、トレイ搬送モードが自動的に設定される。
【００９８】
また、制御部１２０は、レジストセンサ６８の出力信号に基づいて、紙詰まり（ジャム）を判断すると、トレイ搬送モードの設定を行わないので、紙詰まりを修復するための蓋１８が開かれても、トレイ搬送モードが設定されることがない。
【００９９】
また、制御部１２０は、リセット信号を受信するとトレイ搬送モードの設定を可能とするので、紙詰まりが修復された後に、トレイ搬送モードが設定され得る。
【０１００】
［変形例］
なお、前述された実施形態では、ガイド部材２６は、蓋１８が背面開口１７を開く姿勢変化に連動するものであるが、ガイド部材２６の姿勢変化と、蓋１８の姿勢変化とが独立して操作可能なように構成されてもよい。
【０１０１】
また、前述された実施形態では、搬送路２３の湾曲部３２を構成するガイド部材２６が姿勢変化する構成が示されているが、ガイド部材２６は、必ずしも姿勢変化可能に設けられなくてもよい。例えば、ガイド部材２６が装置筐体等に固定されており、そのガイド部材２６の一部に、トレイ１１０が通過可能な開口が形成されてもよい。このような構成では、装置の正面側から搬送路２３の直線部３３へ挿入されたトレイ１１０は、ガイド部材２６の開口を通過して、蓋１８により開かれた背面開口１７から装置の外側へ突出される。そして、開かれた蓋１８が筐体１５の背面１６から外側へ突出する距離Ｌ１が、トレイ１１０が筐体１５の背面１６から外側へ突出される距離Ｌ２より長いので、蓋１８より筐体１５の背面１６側へ壁や障害物が近寄ることがない。これにより、前述された実施形態と同様の作用効果が奏される。
【符号の説明】
【０１０２】
１１・・・プリンタ部（画像記録装置、搬送装置）
１４・・・操作パネル（入力手段）
１５・・・筐体
１６・・・背面（壁）
１７・・・背面開口
１８・・・蓋
２３・・・搬送路（搬送経路）
２５・・・記録部
２６・・・ガイド部材
３２・・・湾曲部
３３・・・直線部
５６，５７・・・ローラ
６８・・・レジストセンサ（ジャム検知手段）
６９・・・光学センサ
１１０・・・トレイ
１１１・・・ＣＤ（被記録部材）
１２０・・・制御部
【図１】
2011005708.tif 000003
【図２】
2011005708.tif 000004
【図３】
2011005708.tif 000005
【図４】
2011005708.tif 000006
【図５】
2011005708.tif 000007
【図６】
2011005708.tif 000008
【図７】
2011005708.tif 000009
【図８】
2011005708.tif 000010
【図９】
2011005708.tif 000011
【図１０】
2011005708.tif 000012